(57)【要約】【課題】複数の点状光源と拡散板との間隔を狭くし、面状光源装置の薄型化を図った場合においても、輝度ムラおよび色度ムラが発生しない面状光源装置を得るものであり、この面状光源装置を用いることにより優れた表示特性を得ることができる液晶表示装置を提供する。【解決手段】面状光源装置が、点状光源４と拡散板３とのあいだに第２の反射板６を配置し、第２の反射板６のうち少なくとも筐体１の底面１ａに配設された第１の反射板２に相対する面が反射面６ａであり、反射面６ａの面積が前記筐体１の底面１ａの面積より小さい。【選択図】        図２
2004311353.tif 000002
【特許請求の範囲】
【請求項１】
開口部を有する筐体と、
前記開口部に相対する前記筐体の底面に配設された第１の反射板と、
前記底面に配設された複数の光源と、
前記開口部に配設された拡散板とを有する面状光源装置であって、
前記光源が点状光源であり、
該点状光源と前記開口部とのあいだに第２の反射板を配置し、該第２の反射板のうち、少なくとも前記第１の反射板に相対する面が反射面であり、該反射面の面積が前記筐体の底面の面積より小さいことを特徴とする面状光源装置。
【請求項２】
前記点状光源が、赤色、緑色または青色の単色光を発する発光ダイオードである請求項１記載の面状光源装置。
【請求項３】
前記第２の反射板が矩形状の反射板であり、前記第１の反射板と前記第２の反射板とが互いにほぼ平行であり、前記第２の反射板の反射面の裏面が光を正反射する機能を有する請求項１または２記載の面状光源装置。
【請求項４】
前記第２の反射板の裏面が光を拡散反射する機能を有する請求項１または２記載の面状光源装置。
【請求項５】
前記複数の点状光源が前記筐体の底面の長手方向に沿って配列され、配列された前記複数の点状光源の発光部先端を結んだ仮想線を基準に、該仮想線から離れるにつれて前記第１の反射板と前記第２の反射板との間隙が増加する請求項１または２記載の面状光源装置。
【請求項６】
前記仮想線の直上に位置する前記第２の反射板の厚さが最大であり、前記仮想線から離れるにつれて前記第２の反射板の厚さが減少する請求項５記載の面状光源装置。
【請求項７】
前記筐体の底面の長手方向に延在する円柱形状の反射部材を、隣接する前記第２の反射板間と前記拡散板とのあいだに設ける請求項１、２、３、４、５または６記載の面状光源装置。
【請求項８】
前記拡散板が、隣接する２枚の前記第２の反射板間に相対する部分で光を拡散反射する機能をもつように、当該拡散板に遮光パターンが印刷されている請求項１、２、３、４、５、６または７記載の面状光源装置。
【請求項９】
前記拡散板と前記第２の反射板との間隙に半透明板を設け、該半透明板が、隣接する前記第２の反射板間に相対する部分で光を拡散反射する機能を有する請求項１、２、３、４、５、６または７記載の面状光源装置。
【請求項１０】
前記複数の点状光源を前記筐体の底面の長手方向に沿って配列した点状光源群が、複数並設され、前記点状光源群間における前記第１の反射板に突起部を設ける請求項１、２、３、４、５、６、７、８または９記載の面状光源装置。
【請求項１１】
請求項１、２、３、４、５、６、７、８、９または１０記載の面状光源装置と、該面状光源装置の上部に配置され、液晶が挟持された２枚のガラス基板からなる液晶表示素子と、該液晶表示素子に接続される駆動回路基板とを備えてなることを特徴とする液晶表示装置。
【発明の詳細な説明】
【０００１】
【発明の属する技術分野】
本発明は、液晶表示素子の直下に光源を配置する直下型の面状光源装置および該装置を用いた液晶表示装置に関する。さらに詳しくは、Ｒ（赤色）、Ｇ（緑色）およびＢ（青色）の単色光を発する発光ダイオードなどの複数の点状光源を用いる面状光源装置および該装置を用いた液晶表示装置に関する。
【０００２】
【従来の技術】
従来の面状光源装置においては、反射板機能を兼ね備えたハウジング内に複数本の蛍光管が並置され、蛍光管直上のハウジング開口部に輝度を抑制するライティングカーテン、バックライト出射面全体に光拡散板が配置されている（たとえば、特許文献１参照）。
【０００３】
【特許文献１】
特開平５−３２３３１２号公報（第２頁左欄第４０−４５行、第２図）
【０００４】
【発明が解決しようとする課題】
従来の面状光源装置では、光源として冷陰極管が用いられているが、冷陰極管には水銀が使用されており、近年の環境問題に対してその使用が困難になってきている。また、水銀の消耗により輝度が劣化し、低温中での輝度が低いという問題がある。また、高電圧を必要とするため、電気的ノイズが発生するという問題もある。
【０００５】
さらに、前述した理由により、光源に冷陰極管を用いる代わりに、冷陰極管に比べて光源の寿命の長さおよび発光効率のよさから、発光ダイオード（Ｌｉｇｈｔ  Ｅｍｉｔｔｉｎｇ  Ｄｉｏｄｅ：以下、単にＬＥＤという）を用いる面状光源装置が開発されている。ＬＥＤを用いた直下型の面状光源装置においては、光源である白色ＬＥＤを１つ（赤色、緑色および青色の単色光を発するＬＥＤをそれぞれ１つ組み合わせた場合は１組）用いただけでは充分な輝度を得ることができない。このため、輝度を上げるために複数のＬＥＤを光源に用いているが、光拡散板におけるＬＥＤの直上部分とそれ以外の部分において輝度分布が生じる。また、発光色の異なる複数のＬＥＤを光源として用いると、輝度分布の調整のみではなく白色光への混色が必要となる。このため、ＬＥＤからの光を充分に拡散および混色させたうえでバックライト出射面から出射させるために、光源であるＬＥＤから光拡散板までの距離を充分に取る必要があり、バックライトは大型化してしまうという問題があった。
【０００６】
本発明は、かかる課題を解決するためになされたもので、光源と光拡散板との間隔を狭くし、バックライト（以下、面状光源装置と称す）の薄型化を図った場合においても、輝度ムラおよび色度ムラが発生しない面状光源装置を得るものであり、この面状光源装置を用いることによりすぐれた表示特性を得ることができる液晶表示装置を提供することを目的とする。
【０００７】
【課題を解決するための手段】
本発明の面状光源装置は、光源が点状光源であり、点状光源と筐体の開口部とのあいだに第２の反射板を配置し、該第２の反射板のうち、少なくとも筐体の底面に配設された第１の反射板に相対する面が反射面であり、反射面の面積が前記筐体の底面の面積より小さいことを特徴としている。
【０００８】
本発明の液晶表示装置は、前記面状光源装置と、該面状光源装置の上部に配置され、液晶が挟持された２枚のガラス基板からなる液晶表示素子と、該液晶表示素子に接続される駆動回路基板とを備えてなることを特徴としている。
【０００９】
【発明の実施の形態】
実施の形態１
図１は本発明の実施の形態１にかかわる面状光源装置の概略構成を示す斜視図、図２は図１に示す面状光源装置の矢視ＩＩ−ＩＩ線からみた部分断面図、図３はＬＥＤの配列の一例を示すＬＥＤ配列図である。
【００１０】
図１〜３において、面状光源装置の筐体１は底面１ａと４つの側面から構成され、底面１ａに相対する開口部１ｂを有している。筐体１は、光が外部にできる限り漏れないようにするとともに、内側で反射して開口部１ｂ側に光が進むように、筐体１の内側となる底面１ａおよび側面には、光を正反射、拡散反射またはその複合で反射する反射板が形成されている。反射板の材料としては、アルミニウムなどの反射しやすい金属板またはプラスチックなどの内面に反射しやすい塗料を塗布したものでもよい。とくに、筐体１の内側に白色塗料などを塗布しておくことにより一層内部での反射がよくなり、光の損失が少なくなるため好ましい。なお、以下、底面１ａに配設された反射板を第１の反射板２と称する。
【００１１】
筐体１の開口部１ｂ全体には、光を透過および拡散する機能を有する拡散板３を配設する。
【００１２】
拡散板３は、ポリエチレンテレフタレート（ＰＥＴ）またはポリカーボネートなどからなり、斜め方向から入射した光でも表面であらゆる方向に均一に放射されるようにする機能を有する。
【００１３】
本実施の形態では点状光源４として、ＬＥＤを使用し、赤色（Ｒ）の光を発する第１の点状光源４ａと、緑色（Ｇ）の光を発する第２の点状光源４ｂと、青色（Ｂ）の光を発する第３の点状光源４ｃとから構成される。なお、赤色、緑色または青色の単色光を発するＬＥＤは、白色光を発するＬＥＤに比べて、発光効率が高く、液晶表示装置に用いられるカラーフィルタの赤色、緑色および青色の透過特性とＬＥＤに発光スペクトルをあわせ込むことで、色再現性の高い表示装置を得ることができるので好ましい。
【００１４】
矩形状の点状光源基板５には、複数の点状光源４が点状光源基板５の長手方向に沿って配列され実装されている。また、点状光源基板５は、筐体１の底面の長手方向に延在し、筐体１の底面外側に固着されている。なお、点状光源基板５に実装された、第１の点状光源４ａ、第２の点状光源４ｂおよび第３の点状光源４ｃのそれぞれの個数は必ずしも均等である必要はなく、液晶表示素子を透過したうえで所望の色度に最適化できるように第１の点状光源４ａ、第２の点状光源４ｂおよび第３の点状光源４ｃのそれぞれの個数を任意に設定すればよい。たとえば、図３に示すように、Ｇ、Ｂ、Ｇ、Ｒ、Ｇ、Ｂの繰り返しの順列で実装することができる。また、本実施の形態では、複数の点状光源４が実装された点状光源基板５が筐体１の底面に３列で並設されているが、点状光源から得られる輝度により列数を任意に設定すればよい。
【００１５】
矩形状の第２の反射板６は、第１の反射板２に相対する面が光を反射する反射面６ａであり、反射面６ａの裏面が光を正反射する機能を有する正反射面６ｂである。また、第２の反射板６は、点状光源４と開口部１ｂとのあいだに、第１の反射板２と第２の反射板６の反射面６ａとが互いにほぼ平行となるように筐体１の側面に固着されている。また、第２の反射板６の反射面６ａは筐体１の底面１ａの面積より小さくすることで、隣接する第２の反射板６間から点状光源４からの光を拡散板３側に到達させることができる。第２の反射板６は、筐体１と同様に金属板またはプラスチックなどにより形成され、反射率の高い金属板または反射率の高い白色塗料の塗布などにより形成する。
【００１６】
なお、第２の反射板６の長さ（底面１ａの長手方向）は、図１に示すように、連続して設ける方が、点状光源４からの光を一様に反射させることができるため好ましい。しかしながら、長さの短い第２の反射板６を連続して、または一定間隔で並べて配置してもよい。また、第２の反射板６の幅（図２の横方向）および厚さ（図２の縦方向）は、使用する点状光源４の輝度にもよるが、液晶表示装置を透過したうえで所望の輝度および色度に最適化できるようにそれぞれを任意に設定することもできる。
【００１７】
また、第２の反射板６の個数、点状光源４から第２の反射板６までの距離、隣接する第２の反射板６の間隔、および隣接する点状光源４の間隔は、液晶表示素子を透過したうえで所望の輝度および色度に最適化できるようにそれぞれを任意に設定すればよい。
【００１８】
拡散板３上には光を効果的に利用するための複数枚の光学シートからなる光学シート類（図示せず）を配置し、液晶表示素子（図示せず）を拡散板３上に光学シート類を介して配置する。
【００１９】
なお、光学シート類はレンズシートを拡散シートで挟み込む構成である。また、輝度の向上が必要な場合には、複数枚のレンズシートをその表面に形成されるプリズム方向を考慮して組み合わせてもよい。また、拡散シートは、拡散性を向上させる場合に、２枚以上用いることが可能である。さらに、プリズムシートの配光特性によってはプリズムシートを１枚としてもよいし、または使用しなくてもよい。さらに、保護シート、プリズムシートまたは偏光反射シートを組み合わせてもよい。また、いずれも使用しないこともできる。
【００２０】
液晶表示素子は、上側または下側基板（図示せず）上に着色層、遮光層、スイッチング素子となる薄膜トランジスタ（以下、ＴＦＴと称す）、画素電極等の電極および配線が形成されたＴＦＴアレイ基板および対向基板、二枚の基板を等間隔に保持するスペーサ、二枚の基板を貼り合わせるシール材、二枚の基板とのあいだに液晶を注入した後に封止する封止材、液晶に初期配向をもたせる配向膜および光を偏光させる偏光板などにより構成されるが、本発明においては、既存の液晶表示素子を用いるのでここでの説明は省略する。
【００２１】
第１の点状光源４ａ、第２の点状光源４ｂおよび第３の点状光源４ｃからなる複数の点状光源４、筐体１、第１の反射板２、拡散板３ならびに第２の反射板６などを総称して面状光源装置と称する。また、液晶表示素子を駆動する回路基板（図示せず）を備え、液晶表示素子を面状光源装置の上部である拡散板３上に配置することで液晶表示装置を構成する。
【００２２】
つぎに、点状光源４から発せられた光が拡散板３から出射するまでの光路について説明する。
【００２３】
点状光源４である第１の点状光源４ａ、第２の点状光源４ｂおよび第３の点状光源４ｃから発せられた赤色、緑色および青色の単色光は、直接または第１の反射板２によって反射され、第２の反射板６の反射面６ａで反射される。単色光は、第１の反射板２と第２の反射板６の反射面６ａで反射を繰り返し、第１の反射板２と第２の反射板６の間隙を伝播するうちに配光を広げ、複数の点状光源４から発せられた赤色、緑色および青色の単色光は混色されて白色光に均一化される。
【００２４】
第１の反射板２と第２の反射板６の間隙を伝播した光は、第２の反射板６が存在しない隣接する第２の反射板６間、または筐体１の側面と第２の反射板６とのあいだから拡散板３側に導かれる。拡散板３に入射した光は、拡散板３内を透過する光の成分と拡散板３内の粒子で反射する光の成分に分かれる。そのうち、光源側に反射した成分の光は、第１の反射板２で正反射、拡散反射もしくはその複合で反射、または第２の反射板６の正反射面６ｂで正反射して、再度、拡散板３に入射する。また、拡散板３に入射し透過した成分の光は、液晶表表示素子側の拡散板３表面であらゆる方向に均一に放射する。
【００２５】
拡散板３の上面から出射した光は、拡散シート、保護シート、レンズシートまたはプリズムシートなどからなる光学シート類を通過して液晶表示素子に入射する。液晶表示素子はスイッチング素子（図示せず）による電圧のオンまたはオフによって液晶層が配光されることで、液晶表示素子に入射した光は映像信号にあわせて変調され、赤色、緑色または青色の各色を表示する。
【００２６】
以上のように、本発明の実施の形態１にかかわる液晶表示装置によれば、点状光源４から発せられた赤色、緑色および青色の単色光は、第１の反射板２および第２の反射板６の反射面６ａの間隙で反射を繰り返し伝播することで、白色光に混色する充分な距離が得られるために、液晶表示装置の色度ムラの発生を抑制することができる。
【００２７】
また、点状光源装置４と点状光源４の直上の拡散板３とのあいだに第２の反射板６を設けることで、従来の直下型の面状光源装置の場合に起こり得る、拡散板３の表面における点状光源４が存在する部分の輝度がその周辺の部分に比べて高くなるという輝度ムラの発生を抑制することができる。
【００２８】
また、点状光源４から発する単色光を第１の反射板２と第２の反射板６との間隙で表示面に対して横方向に伝播させたのちに、隣接する第２の反射板６間から縦方向に出射させるため、面状光源装置を薄型化しても点状光源４から拡散板３までの光の伝播距離が確保でき、色ムラおよび輝度ムラが少なく高品位な面状光源装置を得ることができる。
【００２９】
実施の形態２
図４は、本発明の実施の形態２にかかわる液晶表示装置の部分断面図である。図４において、図１〜３と同じ符号は、同一または相当部分を示し、その説明を省略する。なお、第２の反射板６の反射面６ａの裏面が光を拡散反射する機能を有する拡散反射面６ｃであるところだけが実施の形態１と異なっており、後述する拡散反射面６ｃによる作用効果以外は、実施の形態１と同様の作用効果を奏する。
【００３０】
本実施の形態２においては、図４に示すように、第２の反射板６の拡散反射面６ｃは光を拡散反射する機能を有するので、拡散反射面６ｃで反射する光はあらゆる方向に反射され、拡散板６の入射面全面に広がり、輝度ムラおよび色度ムラがより少ない面状光源装置とすることができる。
【００３１】
実施の形態３
図５は本発明の実施の形態３にかかわる面状光源装置の概略構成を示す斜視図、図６は図５に示す面状光源装置の矢視ＶＩ−ＶＩ線からみた部分断面図である。図５および図６において、図１〜４と同じ符号は、同一または相当部分を示し、その説明を省略する。複数の点状光源４が筐体１の底面１ａの長手方向に沿って配列され、配列された複数の点状光源４の発光部先端を結んだ仮想線７を基準に、仮想線７から離れるにつれて第１の反射板２と第２の反射板８との間隙が増加するような、筐体１の底面１ａ、第１の反射板２または第２の反射板８に傾斜を付けた形状とする。
【００３２】
なお、本実施の形態３においては、第２の反射板８を断面形状が二等辺三角形である三角柱とし、図６に示す断面図における等しい二辺に対応する反射面８ａ、８ｂを筐体１の底面１ａに対向し配置する。また、反射面８ａ、８ｂと同様に第２の反射板８である三角柱の側面を構成する、光を拡散反射する機能を有する拡散反射面８ｃを、筐体１の底面１ａと平行に配置することで、仮想線７の直上に位置する第２の反射板８の厚さが最大であり、仮想線７から離れるにつれて第２の反射板８の厚さが減少するように第２の反射板８が筐体１に配設されている。また、第２の反射板８の拡散反射面８ｃが、光を正反射する機能を有する正反射面であってもよい。
【００３３】
なお、本実施の形態３においては、第２の反射板８に傾斜を付けた形状であるところだけが実施の形態１および２と異なっており、後述する第２の反射板８による作用効果以外は、実施の形態１および２と同様の作用効果を奏する。
【００３４】
本実施の形態３においては、図６に示すように、仮想線７を基準に仮想線７から離れるにつれて第１の反射板２と第２の反射板８との間隙が増加するように、第２の反射板８の反射面８ａ、８ｂが筐体１の底面１ａに対して傾斜させることで、反射面８ａ、８ｂにおける点状光源４からの光の入射角を小さくすることができる。入射角が小さくなることで反射面８ａ、８ｂにおける反射角が小さくなり、第２の反射板８の反射面８ａ、８ｂと第１の反射板２との反射を繰り返すうちに、筐体１の底面１ａに対する光の角度が水平に近づき、実施の形態１における矩形状の第２の反射板６と比較して、第１の反射板２および第２の反射板８における反射回数が減少する。
【００３５】
一般的な反射材料の全光線反射率は９６％程度であるため、一度の反射で約４％の輝度が低下することとなる。ここで、点状光源４から光度Ｗの光を発する場合に、反射材料でＮ回反射した後の光度Ｗ’は、次式（１）で示される。
Ｗ’＝０．９６Ｎ×Ｗ  ・・・（１）
【００３６】
このように、第２の反射板８の反射面８ａ、８ｂを筐体１の底面１ａに対して傾斜させることで、点状光源４から発する光の拡散板３を透過するまでに反射板で反射する回数を減少させ、複数回の反射による輝度の低下を抑制し、明るい面状光源装置を得ることができる。
【００３７】
また、実施の形態１および２のように、第２の反射板の反射面が第１の反射板と平行であれば、第２の反射板の反射面に対して垂直に近い方向に点状光源４から発した光は、第１の反射板と第２の反射板とのあいだで鉛直方向のみの移動に留まったままの反射を繰り返すこととなる。これに対し、本実施の形態３においては、第２の反射板の反射面に対して垂直に近い方向に点状光源４から発した光であっても、第２の反射板８の反射面８ａ、８ｂの傾斜により点状光源４から離れる水平方向に光を反射し伝播させることができる。
【００３８】
実施の形態４
図７は本発明の実施の形態４にかかわる面状光源装置の概略構成を示す斜視図、図８は図７に示す面状光源装置の矢視ＶＩＩＩ−ＶＩＩＩ線からみた部分断面図である。図７および図８において、図５および図６と同じ符号は、同一または相当部分を示し、その説明を省略する。複数の点状光源を前記筐体の底面の長手方向に沿って配列した点状光源群が複数並設され、点状光源群間および筐体１の側面近傍における第１の反射板２に突起部２ａを設けている。
【００３９】
また、突起部２ａの長さ（底面１ａの長手方向）は、図７に示すように、連続して設ける方が、長手方向の位置に関わらず、光を一様に拡散板３側に反射させることができるので好ましい。しかしながら、長さの短い突起部２ａを連続して、または一定間隔で並べて配置してもよい。また、液晶表示装置を透過したうえで所望の輝度および色度に最適化できるように、突起部２ａの個数、位置または形状を任意に設定することができる。
【００４０】
なお、本実施の形態４においては、点状光源群間および筐体１の側面近傍における第１の反射板２に突起部２ａを設けているところだけが実施の形態３と異なっており、後述する突起部２ａによる作用効果以外は、実施の形態３と同様の作用効果を奏する。
【００４１】
前述した実施の形態３においては、第２の反射板８の反射面８ａ、８ｂと第１の反射板２との反射を繰り返すうちに、光の筐体１の底面１ａに対する角度が水平に近づき、第１の反射板２に入射した光が、隣接する第２の反射板８間を通過するために充分な反射角が得られない場合がある。しかしながら、本実施の形態４においては、筐体１の底面１ａに対する光の角度が水平に近い場合であっても、突起部２ａにより、少なくとも突起部２ａに入射する光は、隣接する第２の反射板８間を通過するために充分な反射角が得ることが可能であり、輝度の低下を抑制し、明るい面状光源装置を得ることができる。
【００４２】
実施の形態５
図９は本発明の実施の形態５にかかわる面状光源装置の概略構成を示す斜視図、図１０は図９に示す面状光源装置の矢視Ｘ−Ｘ線からみた部分断面図である。図９および図１０において、図７または図８と同じ符号は、同一または相当部分を示し、その説明を省略する。筐体１の底面１ａの長手方向に延在する円柱形状の反射部材９を、隣接する第２の反射板８間と拡散板３とのあいだに設けている。なお、反射部材９は、第２の反射板８と同様に金属板またはプラスチックなどにより形成され、反射率の高い金属板または反射率の高い白色塗料の塗布などにより形成する。
【００４３】
また、反射部材９の長さ（底面１ａの長手方向）は、図９に示すように、連続して設ける方が、反射部材９の長手方向の位置に関わらず、光を一様に反射させることができるので好ましい。しかしながら、長さの短い反射部材９を連続して、または一定間隔で並べて配置してもよい。また、液晶表示装置を透過したうえで所望の輝度および色度に最適化できるように、反射部材９の個数、位置、径、反射率または形状を任意に設定することができる。また、第２の反射板８の拡散反射面８ｃが、光を正反射する機能を有する正反射面であってもよい。
【００４４】
なお、本実施の形態５においては、反射部材９を隣接する第２の反射板８間と拡散板３とのあいだに設けているところだけが実施の形態３と異なっており、後述する反射部材９による作用効果以外は、実施の形態３と同様の作用効果を奏する。
【００４５】
本実施の形態５においては、反射部材９を隣接する第２の反射板８間と拡散板３とのあいだに設けることにより、隣接する第２の反射板８間を通過した光の一部が反射部材９で拡散反射される。拡散反射された光は、第１の反射板２、第２の反射板８の拡散反射面８ｃまたは拡散板３でさらに正反射または拡散反射されて拡散板３を透過する。このように、反射部材９を設けることにより、実施の形態３よりもさらに光を拡散することができるので、輝度ムラおよび色度ムラが少なく、薄型の面状光源装置を得ることができる。
【００４６】
実施の形態６
図１１は本発明の実施の形態６にかかわる面状光源装置の部分断面図である。図１１において、図１および図２と同じ符号は、同一または相当部分を示し、その説明を省略する。拡散板３には、隣接する第２の反射板６間に相対する部分で光を拡散反射する機能をもつように遮光パターン１０ａが印刷されている。
【００４７】
本実施の形態６においては、アルミニウムを真空蒸着法で形成する方法や製造コストがアルミニウムの真空蒸着法より安価であるシルク印刷法を用いて遮光パターン１０ａを印刷することができる。なお、遮光パターン１０ａは、液晶表示装置の表示面の輝度分布が均一になるようにインクドットやアルミ蒸着のパターンの大きさ、密度および濃淡を調整する。また、遮光パターン１０ａは拡散板３の下面のみならず、上面または両面に印刷することができる。また、第２の反射板６の正反射面６ｂを、光を拡散反射する機能を有する拡散反射面であってもよい。
【００４８】
なお、拡散板３の隣接する２枚の第２の反射板６間に相対する部分に遮光パターン１０ａが印刷されているところだけが実施の形態１と異なっており、後述する遮光パターン１０ａによる作用効果以外は、実施の形態１と同様の作用効果を奏する。
【００４９】
本実施の形態６においては、図１１に示すように、隣接する第２の反射板６間を通過した光が、拡散板３の遮光パターン１０ａに当たり拡散反射することで、実施の形態１と比較して光が筐体１内でさらに拡散し、輝度ムラおよび色度ムラがさらに抑制された面状光源装置が得られる。
【００５０】
実施の形態７
図１２は本発明の実施の形態７にかかわる面状光源装置の部分断面図である。図１２において、図１および図２と同じ符号は、同一または相当部分を示し、その説明を省略する。拡散板３と第２の反射板６との間隙に半透明板を設け、半透明板が隣接する第２の反射板２間に相対する部分で光を拡散反射する機能を有している。
【００５１】
本実施の形態７において、半透明板には、透明樹脂フィルムに所定の遮光パターン１０ｂを形成したものを用いている（以下、ライティングカーテン１１と称す。）。遮光バターン１０ｂは、アルミニウムを真空蒸着法で形成する方法や製造コストがアルミニウムの真空蒸着法より安価であるシルク印刷法を用いて印刷することができる。なお、遮光パターン１０ｂは、液晶表示装置の表示面の輝度分布が均一になるようにインクドットやアルミ蒸着のパターンの大きさ、密度および濃淡を調整する。また、遮光パターン１０ｂは透明樹脂フィルムの下面のみならず、上面または両面に形成することができる。また、筐体１内のライティングカーテン１１の配置は、液晶表示装置を透過したうえで所望の輝度および色度に最適化できるようにそれぞれを任意に設定することができる。また、第２の反射板６の正反射面６ｂが、光を拡散反射する機能を有する拡散反射面であってもよい。
【００５２】
なお、拡散板３と第２の反射板６との間隙にライティングカーテン１１を設けているところだけが実施の形態１と異なっており、後述するライティングカーテン１１による作用効果以外は、実施の形態１と同様の作用効果を奏する。
【００５３】
本実施の形態７においては、図１２に示すように、隣接する第２の反射板６間を通過した光が、ライティングカーテン１１の遮光パターン１０ｂに当たり拡散反射することで、実施の形態１と比較して光が筐体１内でさらに拡散し、輝度ムラおよび色度ムラがさらに抑制された面状光源装置が得られる。また、拡散板３とライティングカーテン１１とのあいだに間隙を有しているので、ライティングカーテン１１で拡散した光が拡散板３とライティングカーテン１１との間隙の空気中で広がりをもつことができるため、実施の形態７と比較して輝度ムラがさらに抑制できる面状光源装置を得ることができる。
【００５４】
以上説明したように、各実施の形態において、矩形状の第２の反射板６および正反射面６ｂ、三角柱状の第２の反射板８および拡散反射面８ｃ、円柱状の反射部材９、遮光パターン１０ａを有する拡散板３、ライティングカーテン１１または第１の反射板２の突起部２ａを個別に用いることによりそれぞれの部材による効果を得ているが、複数の種類の部材を組み合わせることによりさらなる効果が期待できる。
【００５５】
【発明の効果】
本発明は以上説明したように、点状光源と開口部とのあいだに第２の反射板を配置し、第２の反射板のうち少なくとも第１の反射板に相対する面が反射面であり、反射面の面積が前記筐体の底面の面積より小さいことにより、白色光に混色する充分な距離が得られるため、液晶表示装置の色度ムラの発生を抑制することができる。また、従来の直下型の面状光源装置の場合に起こり得る、拡散板の表面における点状光源が存在する部分の輝度がその周辺の部分に比べて高くなるという輝度ムラの発生を抑制することができる。面状光源装置を薄型化しても点状光源から拡散板までの光の伝播距離が確保でき、色ムラおよび輝度ムラが少なく高品位な面状光源装置を得ることができる。
【図面の簡単な説明】
【図１】本発明の実施の形態１にかかわる面状光源装置の概略構成を示す斜視図である。
【図２】図１に示す面状光源装置の矢視ＩＩ−ＩＩ線からみた部分断面図である。
【図３】ＬＥＤの配列の一例を示すＬＥＤ配列図である。
【図４】本発明の実施の形態２にかかわる液晶表示装置の部分断面図である。
【図５】本発明の実施の形態３にかかわる面状光源装置の概略構成を示す斜視図である。
【図６】図５に示す面状光源装置の矢視ＶＩ−ＶＩ線からみた部分断面図である。
【図７】本発明の実施の形態４にかかわる面状光源装置の概略構成を示す斜視図である。
【図８】図７に示す面状光源装置の矢視ＶＩＩＩ−ＶＩＩＩ線からみた部分断面図である。
【図９】本発明の実施の形態５にかかわる面状光源装置の概略構成を示す斜視図である。
【図１０】図９に示す面状光源装置の矢視Ｘ−Ｘ線からみた部分断面図である
【図１１】本発明の実施の形態６にかかわる面状光源装置の部分断面図である。
【図１２】本発明の実施の形態７にかかわる面状光源装置の部分断面図である。
【符号の説明】
１    筐体
１ａ  底面
１ｂ  開口部
２    第１の反射板
２ａ  突起部
３    拡散板
４    点状光源
４ａ  第１の点状光源
４ｂ  第２の点状光源
４ｃ  第３の点状光源
６、８    第２の反射板
６ａ  反射面
６ｂ  正反射面
６ｃ  拡散反射面
７    仮想線
９    反射部材
１０ａ、１０ｂ  遮光パターン
１１    ライティングカーテン
【図１】
2004311353.tif 000003
【図２】
2004311353.tif 000004
【図３】
2004311353.tif 000005
【図４】
2004311353.tif 000006
【図５】
2004311353.tif 000007
【図６】
2004311353.tif 000008
【図７】
2004311353.tif 000009
【図８】
2004311353.tif 000010
【図９】
2004311353.tif 000011
【図１０】
2004311353.tif 000012
【図１１】
2004311353.tif 000013
【図１２】
2004311353.tif 000014